(57)【特許請求の範囲】
【請求項１】
基礎床上に壁際に沿ってレールを固定し、該レールに対して高さ調整が自在にできる床パネル支持板が装着された所要数のユニット支持脚を摺動可能な状態で立設係留し、前記床パネル支持板の高さ調整を行い、前記壁面に接しない状態でそれぞれの床パネル支持板間に金属製アングルを渡設する
ことを特徴とする根太施工方法。
【請求項２】
基礎床上に壁際に沿ってレールを固定し、該レールに対して高さ調整が自在にできる床パネル支持板が装着された所要数のユニット支持脚を摺動可能な状態で立設係留し、前記床パネル支持板の高さ調整を行い、前記壁面に接しない状態でそれぞれの床パネル支持板間にキワネタ材を渡設する
ことを特徴とする根太施工方法。
【請求項３】
基礎床上に壁際に沿ってレールを固定し、該レールに対して高さ調整が自在にできる支持ナットが装着される所要数のユニット支持脚を摺動可能な状態で立設係留し、前記支持ナットの高さ調整を行い、前記壁面に接しない状態でそれぞれのユニット支持脚間にキワネタ支持板を渡設する
ことを特徴とする根太施工方法。
【発明の詳細な説明】
【０００１】
【発明の属する技術分野】
本発明は、集合住宅等の各種建築物において既存の基礎床面との間に空間を形成して構築される乾式二重床の根太施工方法に関するものである。
【０００２】
【従来の技術】
正方形又は長方形の床パネルとユニット支持脚を用いて既存の基礎床面との間に空間を形成して構築される乾式二重床の根太施工方法およびそれに用いる根太ユニットとして特開平２０００−１６６３０９号がある。
【０００３】
この発明は図１５に示すように、一方の側面に長さ方向に溝ａが形成された所定長さの根太部材ｂと、下端部に弾性台座ｃを有し、かつ上部が上記根太部材ｂに上下調整可能に取り付けられた少なくとも１つの支持脚ｉとを備えた根太ユニットｄを用い、初期粘着力があり硬化しても弾性を有する弾性接着剤ｅを上記根太部材ｂの溝ａに沿って所定厚さに塗布した後、根太ユニットｄを壁面ｆに沿って取り付け、必要に応じて根太部材ｂの高さレベルの微調整を行い、床パネルｇの施工を行うものである。
【０００４】
従って根太ユニットｄの根太部材ｂは壁ｆに直に接しておらず、これらの間に弾性接着剤ｅ層が介在し、これが、床の振動が壁に伝達されるのを防止する絶縁層もしくはバリヤー層として機能するので、床衝撃音が壁に伝わって階下や隣室に伝播するのを効果的に防止でき、床衝撃音遮断性能に優れたものとなる。
【０００５】
又弾性接着剤ｅによる接着固定後も根太ユニットｄの高さレベルを微調整することができ、一様な床面とすることができると共に施工性が格段に向上するなどの効果がある。
【０００６】
【発明が解決しようとする課題】
しかしながら図１６に示すように、根太ユニットｄとユニット支持脚ｈとの間に渡設される床パネルｇはチップ材を圧縮成形したものであり、その殆どに反りが生じているのが実情である。
【０００７】
従って床パネルｇによる床張りを行う場合に、まず根太ユニットｄの高さを調整して、この根太ユニットｄの高さを基準として水平定規によってユニット支持脚ｈの高さを調整するものであるが、上記床パネルｇが反っているために床パネルｇ上に体重を乗せて水平状に矯正しようとした場合に上記根太ユニットｄに浮き上がろうとする力が加わるために弾性接着剤ｅによる固定では根太ユニットｄの高さに誤差が生じてユニット支持脚ｈの高さ調整が正確に行えない問題がある。
【０００８】
又上記根太ユニットｄの弾性接着剤ｅによる固定は壁面ｆとの間で行われるために、壁面の無い個所や框などのように壁面の高さが充分に得られない場合には固定する手段がなく、上記機構の根太ユニットｄを使用することができない問題がある。
【０００９】
更に規格化された根太ユニットｄでは上下調整可能に取り付けられる支持脚ｃの位置が決められていることから床下に通すパイプによって支持脚ｉの位置を変えなければならず、規格化した根太ユニットｄでは対応できなくなる問題がある。
【００１０】
そこで本発明では上記問題点を解消するために、根太ユニットの固定を床面との間で行い、かつ高さ調整および支持脚の移動が自在に行える根太施工方法を提供しようとするものである。
【００１１】
【課題を解決するための手段】
本発明の請求項１は、基礎床上に壁際に沿ってレールを固定し、該レールに対して高さ調整が自在にできる床パネル支持板が装着された所要数のユニット支持脚を摺動可能な状態で立設係留し、前記床パネル支持板の高さ調整を行い、前記壁面に接しない状態でそれぞれの床パネル支持板間に金属製アングルを渡設することを特徴とする。
【００１２】
請求項２は、基礎床上に壁際に沿ってレールを固定し、該レールに対して高さ調整が自在にできる床パネル支持板が装着された所要数のユニット支持脚を摺動可能な状態で立設係留し、前記床パネル支持板の高さ調整を行い、前記壁面に接しない状態でそれぞれの床パネル支持板間にキワネタ材を渡設することを特徴する。
【００１３】
請求項３は、基礎床上に壁際に沿ってレールを固定し、該レールに対して高さ調整が自在にできる支持ナットが装着される所要数のユニット支持脚を摺動可能な状態で立設係留し、前記支持ナットの高さ調整を行い、前記壁面に接しない状態でそれぞれのユニット支持脚間にキワネタ支持板を渡設することを特徴とする。
【００１４】
本発明では床パネル支持板および金属製アングル、キワネタ材あるいはキワネタ支持板を壁に直に接しないで施工することによって床パネルでの衝撃音が壁に伝播されず、階下や隣室への伝播を効果的に防ぎ床衝撃音遮断性に優れたものとなる。
更に上記金属製アングル、キワネタ材あるいはキワネタ支持板を渡設することによって床パネル張り施工が非常に容易に行うことができ、作業効率が一段と向上するものである。
【００１５】
又壁に直接に固定しない施工方法であるために、框などのように壁が低い個所や壁の無い個所での施工が可能となり、更にユニット支持脚がレールによって固定されるためにレベル調整の際の床高さの基準となり、精度の優れた高さ調整が可能となる。
【００１６】
【発明の実施の形態】
以下本発明の実施の形態を、その実施例を示す図面を参酌しながら詳述する。
実施例１
図１に示すように、壁面Ｂに対して一定間隔を設けた床面Ａ上にレール１を固定する。
【００１７】
このレール１は図２に示すように、上部に摺動用溝部２が開口された断面方形状の長尺状の筒体である。
又レール１の床面Ａ上への固定手段としては、レール１の底面には一定間隔ごとに固定用の釘穴３を穿孔し、この釘穴３によってレール１を床面Ａに対して釘４を打ち込んで固定する。
【００１８】
そしてレール１内にユニット支持脚５の下端に装着した防振ゴムより成る台座６を挿入し、ユニット支持脚５をレール１の摺動用溝部２に挿通することによって台座６をレール１内に係留した状態でレール１の長手方向への摺動が可能となる。
【００１９】
なおレール１の釘による固定の形態においてはレールの両側に釘穴を設けた機構など種々の機構が考えられ、又レール裏面にゴム又はウレタンなどの遮音板Ｄを装着することで床面への衝撃音の伝播を防止する機構とすることが望ましい。
【００２０】
次に図３に示すように、ユニット支持脚５と、ユニット支持脚５上に設けられる高さ調整自在とした床パネル支持板８との基本的な構造は、ユニット支持脚５は下端部に側方に拡張された膨出部９にゴム等の弾性体より形成される台座６が回動自在に装着される。
【００２１】
更にその外周面にボルトネジ１０を周設し、その先端にマイナス溝１１が設けられた構成とするものである。
そして下端部に側方に拡張された支持部１２を有する支持ナット１３を、方形板状の床パネル支持板８の中央に貫設する。この場合支持ナット１３下端の支持部１２によってパネル支持板８が水平状に支持されることとなる。
【００２２】
この支持ナット１３をユニット支持脚５のボルトネジ１０に螺合し、左右方向へ回転させることで床パネル支持板８の高さ調整が自在に行えると共に、床パネル支持板８を固定した状態でマイナス溝１１をドライバーなどによって回転させることで床パネル支持板８の高さ調整が行える機構とするものである。
更に床パネル支持板８上面には両面粘着シート１４を設けるものである。
【００２３】
そこで図４に示すようにレール１内に床パネル支持板８を装着したユニット支持脚５の台座６を挿入し、適宜間隔毎にユニット支持脚５、５、・・を摺動しながら順次立設する。この場合のユニット支持脚５、５、・・間隔は床パネル幅（約６０ｃｍ）毎の間隔にする必要は無く、床下に配管されるパイプを避けながら適当な間隔での立設とする。
【００２４】
次に図５に示すように、床パネル支持板８を左右方向に回転させながら高さ調整を行った後に、鉄製又はアルミ製より成る金属製アングル１６を上記各床パネル支持板８間に渡設するものである。この場合には床パネル支持板８の高さ調整は金属製アングル１６の厚さを考慮して調整する。
【００２５】
そして図６に示すように、床面Ａ上に、防振ゴム製の基台１７に鋼製支持ボルト１８が回動自在に立設され、この支持ボルト１８の上部に螺合されたレベル調整用ナット１９を介して支持板２０が装着された床パネル支持脚２１と、上記各床パネル支持板８間に渡設される金属製アングル１６との間に床パネルＣを壁Ｂと隙間を設けた状態でビス止めによって渡設する。
【００２６】
実施例２
図７に示すように、床パネル支持板８を左右方向に回転させながら高さ調整を行った後に、木製のキワネタ材２２を各床パネル支持板８間に渡設するものである。この場合には床パネル支持板８の高さ調整はキワネタ材２２の厚さを考慮して調整する。
【００２７】
そして図８に示すように、床面Ａ上に、防振ゴム製の基台１７に鋼製支持ボルト１８が回動自在に立設され、この支持ボルト１８の上部に螺合されたレベル調整用ナット１９を介して支持板２０が装着された床パネル支持脚２１と、上記各床パネル支持板８間に渡設されるキワネタ材２２との間に床パネルＣを壁Ｂと隙間を設けた状態でビス止めによって渡設する。
【００２８】
実施例３
図９に示すように、レール１内に支持ナット１３のみを装着したユニット支持脚５の台座６を挿入し、適宜間隔毎にユニット支持脚５、５、・・を摺動しながら順次立設する。この場合のユニット支持脚５、５、・・間隔は床パネル幅（約６０ｃｍ）毎の間隔にする必要は無く、床下に配管されるパイプを避けながら適当な間隔での立設とする。
【００２９】
次に支持ナット１３を左右方向に回転させながら高さ調整を行った後に、長尺状のキワネタ支持板２４を上記各ユニット支持脚５間隔ごとにユニット支持脚５の上端が挿通可能な挿通穴２３をドリルなどによって現場において貫設し、その挿通穴２３を各ユニット支持脚５に挿通することにより支持ナット１３の支持部１２によって各ユニット支持脚５をキワネタ支持板２４によって渡設支持されることとなる。この場合には支持ナット１３の高さ調整はキワネタ支持板２４の厚さを考慮して調整する。更にユニット支持脚５の上端に設けたマイナス溝１１をドライバーなどによって回転させることでキワネタ支持板２４の高さの微調整を行うものとする。
【００３０】
なお上記キワネタ支持板２４に予め適宜間隔ごとに挿通穴２３を貫設し、現場において上述のように組立てることも可能とする。
【００３１】
そして図１０に示すように、床面Ａ上に、防振ゴム製の基台１７に鋼製支持ボルト１８が回動自在に立設され、この支持ボルト１８の上部に螺合されたレベル調整用ナット１９を介して支持板２０が装着された床パネル支持脚２１と、上記キワネタ支持板２４との間に床パネルＣを壁Ｂと隙間を設けた状態でビス止めによって渡設する。
【００３２】
本発明による根太施工方法では図１１および図１２に示すように、壁Ｂ面に対して床パネル支持板８を回転できる間隔を持ってユニット支持脚５の立設が可能となる。
【００３３】
従って、ユニット支持脚５を立設したままでの状態で床パネル支持板８間に金属製アングル１６又はキワネタ材２２を渡設し、床パネル支持板８の高さ調整を行うことで、床パネルCの敷き込み作業が非常に効率よく行える。
【００３４】
床パネル支持板８は壁Ｂ面と隙間を設けた状態で設置されるために床衝撃音が壁に伝わって階下や隣室に伝播するのを防止することが可能となる。
更にレール１裏面にゴム又はウレタンなどの遮音板Ｄを装着することによって床面Ａへの衝撃音の伝播を防止すると共に、レール１内を摺動するユニット支持脚５の下部の台座６を防振ゴム製とすることで床面Ａへの振動および衝撃音の伝播を最小限に押さえることが可能となる。
【００３５】
又図１３および図１４に示すようにフロアーの中途に段差を設ける場合には、段差の分だけ根太の高さ位置が低くなる。このような場合には金属製アングル１６を各床パネル支持板８上に渡設する、又はユニット支持脚５とキワネタ支持板２４との組み合わせによって充分に対応することが可能となり、更にユニット支持脚５を床面Ａに固定することで床パネルＣの反りによる床パネル支持板８の高さ調整の誤差を解消することができる。
【００３６】
更にユニット支持脚５をレール１上において左右に摺動可能としたことで床面Ａ上に配管されるパイプによってユニット支持脚５の移動が求められる場合にあっても容易に移動することができるものである。
【００３７】
【発明の効果】
以上述べて来た如く本発明によれば、根太ユニットの床パネル支持板は壁に直に接しておらず、これが床の振動が壁に伝達されるのを防止するために、床衝撃音が壁に伝わって階下や隣室に伝播するのを効果的に防止することができ、床衝撃音遮断性能に優れたものとなる。
【００３８】
又ユニット支持脚をレールによって床面に対して左右に摺動自在とし、かつ固定することが可能となり、しかも金属製アングル、キワネタ材あるいはキワネタ支持板との組み合わせにより、床パネル作業が著しく早く行うことができ、更にレベル調整を行う場合に床パネルの反りにより浮き上がることがなく精度の高いレベル調整が可能となる。
【００３９】
更にユニット支持脚を床面上において固定することにより従来のように壁面に根太部材を固定する施工方法に対して框などのように壁が低い個所や壁の無い個所においても施工が可能となり、またユニット支持脚を摺動できる機構としたことにより床パネルの施工状況やパイプの配管などによって移動を余儀なくされる場合でも充分に対処できるものである。
【図面の簡単な説明】
【図１】本発明のレールの施工状態を示す説明図である。
【図２】本発明のレールの断面説明図である。
【図３】本発明のユニット支持脚および床パネル支持板を示す説明図である。
【図４】本発明の実施例１におけるレールにユニット支持脚および床パネル支持板を立設した状態を示す説明図である。
【図５】本発明の実施例１における各床パネル支持板間に金属製アングルを渡設した状態を示す説明図である。
【図６】本発明の実施例１における床パネルの施工説明図である。
【図７】本発明の実施例２における各床パネル支持板間にキワネタ材を渡設した状態を示す説明図である。
【図８】本発明の実施例２における床パネルの施工説明図である。
【図９】本発明の実施例３におけるキワネタ支持板を装着した状態を示す説明図である。
【図１０】本発明の実施例３における床パネルの施工説明図である。
【図１１】本発明の実施例１における作用説明図である。
【図１２】本発明の実施例２における作用説明図である。
【図１３】本発明の実施例１における他の使用例を示す説明図である。
【図１４】本発明の実施例３における他の使用例を示す説明図である。
【図１５】従来の根太ユニットの説明図である。
【図１６】従来の床パネルの施工説明図である。
【符号の説明】
Ａ      床面
Ｂ      壁面
Ｃ      床パネル
Ｄ      遮音板
１      レール
２      摺動用溝部
５      ユニット支持脚
６      台座
８      床パネル支持板
１６    金属製アングル
２２    キワネタ材
２４    キワネタ支持板
【図１】
0004084536.tif 000002
【図２】
0004084536.tif 000003
【図３】
0004084536.tif 000004
【図４】
0004084536.tif 000005
【図５】
0004084536.tif 000006
【図６】
0004084536.tif 000007
【図７】
0004084536.tif 000008
【図８】
0004084536.tif 000009
【図９】
0004084536.tif 000010
【図１０】
0004084536.tif 000011
【図１１】
0004084536.tif 000012
【図１２】
0004084536.tif 000013
【図１３】
0004084536.tif 000014
【図１４】
0004084536.tif 000015
【図１５】
0004084536.tif 000016
【図１６】
0004084536.tif 000017